(57)【特許請求の範囲】
【請求項１】
媒体内の信号伝搬時間を計測し流速を検出する流速検出手段と、前記流速検出手段で検出した流速より流量値に換算する流量演算手段と、流量演算手段で換算された流量値を補正する為の流量補正値を記憶する流量補正手段と、前記流量演算手段で求めた流量値が異常使用量か否かを判定する異常判定手段と、前記異常判定手段で異常と判定した時媒体流路を遮断する遮断手段と、時間をカウントするタイマ手段と、前記タイマ手段の時間カウントにより所定時間経過すると、前記遮断手段で前記媒体流路を閉じ、前記流速検出手段で流速を検出し換算した流量値を仮の流量補正値として一時記憶する流量補正一時記憶手段とからなり、前記遮断手段で前記媒体流路を開いて前記流速検出手段で流速を検出して前記流量演算手段で換算した流量値を前記流量補正一時記憶手段で記憶された前記仮の流量補正値で補正して所定流量範囲内に入れば前記仮の流量補正値を新流量補正値として前記流量補正手段に記憶するようにしたガス遮断装置。
【発明の詳細な説明】
【０００１】
【発明の属する技術分野】
本発明は、超音波を用いて配管内を流れる各種媒体、例えば各種都市ガスあるいはＬＰＧガス等流量を検出し、その媒体使用量を正確に計測し媒体使用量及びその使用状態が安全か否かを監視するガス遮断装置に関する。
【０００２】
【従来の技術】
従来のこの種のガス遮断装置は、例えば特開平９−２１６６７号公報に示されるように図３の構成になっていた。図３は従来のガス遮断装置のブロック図を示す。
【０００３】
図３において、１は流体管路、２は第１振動子で、超音波を送受信し流体管路１の上流側に設置される。３は第２振動子で、超音波を送受信し流体管路１の下流側に対向して取り付けられている。４は送信回路で、第１振動子２へ超音波信号を送信し、５は増幅回路で、第２振動子３で受信した信号を増幅する。
【０００４】
６は比較回路で、増幅された信号と基準信号とを比較する。８は計時手段で、超音波の発信から受信迄の時間をタイマカウンタで計測する。７は計測回路で、送信回路４から計時手段８迄を含む。
【０００５】
９は流量演算手段で、計時手段８による超音波伝搬時間に応じて管路の大きさ、流れの状態を考慮して流量値を求める。１０は周期可変手段で、流量演算手段９の値によって測定周期の変更を行う。１１は計測開始手段で、周期可変手段１０の値に応じて送信回路への信号送出タイミングを調節する。
【０００６】
１２は計測終了手段で、流量演算手段９の演算終了を検出する。１３は電圧制御手段で、計測終了手段１２に同期して計測回路１１の電圧を低下させ、又計測開始手段１１による計測開始と同期して計測回路７の電圧を復帰させる。
【０００７】
次に従来例の構成の動作を説明する。都市ガス、ＬＰガス等の媒体ガスの流れる流体管路１内において、計測開始手段１１により送信回路４からバースト信号が送出され、第１振動子２で発信された超音波信号は流体管路１の流れの中を伝搬し、第２振動子３で受信され、更に増幅回路５と比較回路６で信号処理され発信から受信までの時間を計時手段８で測定する。
【０００８】
流量が大きい時は計時サンプリングを速くして誤差を小さくする必要があり、又流量が小さい時、或いは流量零の時は計測サンプリングを遅くしてもほとんど誤差にならない。よって流量演算手段９の値に応じて計測間隔を変更する。流量演算手段９の値が小さい時周期可変手段１０で計測時間の間隔を大きくし、流量演算手段９の値が大きくなるのに伴って計測時間の間隔を小さくする。又計測と計測との間には計測回路７の電圧を低減する。
【０００９】
流量演算手段９によって流量計測を終了すると計測終了手段１２に信号送出し電圧制御手段１３で電圧を下げるか、零にする。計測開始手段１１によって計測開始前に電圧制御手段１２により計測回路８の電圧を元に復帰させる。
【００１０】
【発明が解決しようとする課題】
しかしながら上記従来の構成では、ガス遮断装置を設置した以降、計測回路７や第１振動子２、或いは第２振動子３の計時変化によりガス器具が未使用時の流量値即ち流量零もしくは所定流量範囲内（この範囲内を流量零と定義する）からずれた場合の対処方法が明確ではなかった。
【００１１】
本発明は上記課題を解決するもので、ガス遮断装置設置以降、都市ガスやＬＰＧガス等の使用がない場合、即ちガス器具を未使用時の流量を正確に計測し、ガス媒体使用量及びその使用状態が安全か否かを監視するガス遮断装置を提供することを目的としたものである。
【００１２】
【課題を解決するための手段】
この課題を解決するために本発明は、媒体内の信号伝搬時間を計測し流速を検出する流速検出手段と、前記流速検出手段で検出した流速より流量値に換算する流量演算手段と、流量演算手段で換算された流量値を補正する為の流量補正値を記憶する流量補正手段と、前記流量演算手段で求めた流量値が異常使用量か否かを判定する異常判定手段と、前記異常判定手段で異常と判定した時媒体流路を遮断する遮断手段と、時間をカウントするタイマ手段と、前記タイマ手段の時間カウントにより所定時間経過すると、前記遮断手段で前記媒体流路を閉じ、前記流速検出手段で流速を検出し換算した流量値を仮の流量補正値として一時記憶する流量補正一時記憶手段とからなり、前記遮断手段で前記媒体流路を開いて前記流速検出手段で流速を検出して前記流量演算手段で換算した流量値を前記流量補正一時記憶手段で記憶された前記仮の流量補正値で補正して所定流量範囲内に入れば前記仮の流量補正値を新流量補正値として前記流量補正手段に記憶するようにしたものである。
【００１３】
このことにより、ガス遮断装置設置以降定期的にガス器具未使用時のガス流量、即ち流量零状態を正確に計測でき、間違ってガス器具を使用したと判断し積算し続けるのを防止でき、かつガスの使用状態を監視するのに正確な使用量を計測し監視できる。
【００１４】
【発明の実施の形態】
本発明は上記目的を達成するため、媒体内の信号伝搬時間を計測し流速を検出する流速検出手段と、前記流速検出手段で検出した流速より流量値に換算する流量演算手段と、流量演算手段で換算された流量値を補正する為の流量補正値を記憶する流量補正手段と、前記流量演算手段で求めた流量値が異常使用量か否かを判定する異常判定手段と、前記異常判定手段で異常と判定した時媒体流路を遮断する遮断手段と、時間をカウントするタイマ手段と、前記タイマ手段の時間カウントにより所定時間経過すると、前記遮断手段で前記媒体流路を閉じ、前記流速検出手段で流速を検出し換算した流量値を仮の流量補正値として一時記憶する流量補正一時記憶手段とからなり、前記遮断手段で前記媒体流路を開いて前記流速検出手段で流速を検出して前記流量演算手段で換算した流量値を前記流量補正一時記憶手段で記憶された前記仮の流量補正値で補正して所定流量範囲内に入れば前記仮の流量補正値を新流量補正値として前記流量補正手段に記憶するようにしたものである。
【００１５】
したがって、ガス遮断装置設置以降時間カウントするタイマ手段が所定時間経過したら、遮断手段により流路を閉じた状態として、流速検出手段で流速検知し流量換算しこの値を仮の流量補正値として一時記憶し、次に遮断手段を駆動し流路を開け又流速検出手段により流速検知し流量値を求めその流量値を一時記憶した仮の流量補正値で補正しその結果流量値が流量零もしくは所定流量範囲内に入っていれば新流量補正値として流量補正手段に記憶するので、以降流量演算手段で求められた流量値は流量補正値で補正されるので器具停止時常に流量零もしくは所定流量範囲内（流量零とする）となり正確に流量計測を行え、間違って器具停止であるのに使用流量ありとして積算するのを防げ、更に利用者のガス使用状態を正確な流量計測で監視できる。
【００１６】
【実施例】
以下、本発明の実施例を図１及び図２を参照して説明する。なお図１、図２において、図３と同一機能を有する構成要素に関しては同一番号を付して説明する。
【００１７】
（実施例１）
図１は本発明の実施例１のガス遮断装置で、１４は流速検出手段で、都市ガス或いはＬＰＧ等のガス媒体の流路１に対向設置された上流側振動子２、下流側振動子３間で超音波信号を一方から他方に発信しその伝搬時間より使用ガスの流速を検出する。流速検出手段１４の一例として次の様な方法がある。
【００１８】
即ち、流速検出手段１４は、切替手段１５と、送信手段１６と、受信手段１７と、繰返手段１８と、伝搬時間計測手段１９とからなる。
【００１９】
送信手段１６と受信手段１７とは切替手段１５に接続され、切替手段１５はまず送信手段１６を上流側振動子２に、受信手段１７を下流側振動子３に接続し、次は送信手段１６を下流側振動子３に、受信手段１７を上流側振動子２に接続するというように交互に送信手段１６と受信手段１７の接続先を切り替える。
【００２０】
繰返手段１８は切替手段１５により上流側振動子２に送信手段１６を、一方下流側振動子３に受信手段１７を接続した時、送信手段１６から発信された超音波信号は上流側振動子２より流路１を経て下流側振動子３から受信手段１７で受信されるが、超音波信号の送信から受信迄を繰り返し行い、更に伝搬時間計測手段１９でその間の信号伝搬時間を計測する動作を繰り返し行う。
【００２１】
伝搬時間計測手段１９は超音波信号の送信から受信までの時間を計測し累積する。
【００２２】
次に、切替手段１５により上流側振動子２に受信手段１７を、下流側振動子３に送信手段１６が接続され、前述の動作を繰り返し行う。
【００２３】
伝搬時間計測手段１９は最初受信し求めた伝搬時間と、次に切替手段１５により切り替えた後計測した信号伝搬時間とから伝搬時間差を求める。
【００２４】
２０は流速演算手段で、求めた伝搬時間より流速を求める。
【００２５】
２１は流量演算手段で、流速演算手段２１で求めた流速値より使用している媒体量、即ちガス流量を換算し求める。
【００２６】
２２は異常判定手段で、流量演算手段２１で求めたガス使用量から異常な使用状態かどうかを判定する。
【００２７】
例えば、ストーブ等の使用器具へガスを供給するホースが何らかの原因で外れた時、発生する異常な大流量を監視するための合計流量遮断値や、器具の通常使用する最大使用時間よりはるかに長く使用された場合に対応した使用時間の制限時間を規定した使用時間遮断テーブルが異常判定手段２２に格納され、それに該当する異常がないか監視する。
【００２８】
２３が遮断手段で、異常判定手段２２から異常と判定された時遮断信号が出力されガス流路１を遮断する。２４はタイマ手段で、時間カウントを行い所定時間経過したら定期的に流路１を閉じ新流量補正値を計測を行う信号を出力する。
【００２９】
２５は流量補正手段で、タイマ手段２４から所定時間経過した信号を入力すると遮断手段２３で流路１を閉じ流速検出手段１４で流速を検出し流量演算手段２１で求めた流量値を流量零時の流量補正値として記憶する。
【００３０】
２６は報知手段で、異常判定手段２２でガスの使用状態が異常と判定し、遮断手段２３を駆動した場合遮断状態や遮断内容を液晶表示素子等に表示すると共にガスの安全監視を行っているセンタに電話回線などで通報する。
【００３１】
次に上記構成の動作を説明する。ガス遮断装置設置時、ガス器具の使用がない時流速検出手段１４で検出した流速値より流量演算手段２１で換算した流量値は零或いは所定流量範囲内（例えば±１．５Ｌ／ｈ未満）である。
【００３２】
流量零となるように予め流量補正値を計測し流量零或いは所定流量範囲内となるように流量補正手段２５に記憶させ、流量演算手段２１で換算した流量値を流量補正値で補正している。
【００３３】
ここでガスの未使用時とは例えば流量演算手段２１でガス器具使用時その使用流量を登録するが、全く未登録の時器具の使用が無いと判定する。
【００３４】
しかし長期的に使用するに従って種々の環境条件、温度や湿度等の影響により器具未使用時の流量値が流量零あるいは所定流量範囲内とならずあたかも何らかのガス器具を使用しているかの流量値を示し、流量零状態或いは所定流量範囲（例えば±１．５Ｌ／ｈ未満）より逸脱する。
【００３５】
従って予め求めていた流量補正値よりずれる場合がある。そこでタイマ手段２４で時間カウントし下記のような方法で新流量補正値を求め所定流量範囲内と入る様に定期的に新流量補正値の更新を行う。
【００３６】
即ちタイマ手段２４で時間カウントし所定時間経過したら、流量補正手段２５に新流量補正値を計測する信号出力を行う。
【００３７】
タイマ手段２４は温度等の環境条件による経時変化を考慮し適切な時間を設定する。所定時間経過後、器具停止状態で流路１に設置した流量検出手段１４で流速検知し流量演算手段２１で流量値に換算し所定流量範囲内の流量値として検出されていたのに所定流量範囲より逸脱する流量値が検出され始めたり、或いは経時変化等により初期の流量零時の流量補正値からズレ幅より次第に大きくなっている場合がある。
【００３８】
そこで、遮断手段２３を駆動し流路１を遮断する。流量補正手段２５は遮断手段２６より流路１が遮断され、かつ新流量補正値計測状態に入る。遮断手段２３で流路１を閉じるので新流量補正値は器具が使用されない、完全に流量がない状態で計測される。
【００３９】
次に、流速検出手段１４により流速が検出され、流量演算手段２１で流量値に換算される。ここで流速検出手段１４の一例の動作を説明する。
【００４０】
流路（ガス配管）１内で、斜向設置された上流側振動子２、および下流側振動子３との間で超音波信号を送受信する。切替手段１５により上流側振動子２に送信手段１６が接続され、一方受信手段１７に下流側振動子３が接続され、送信手段１６から発信された信号を上流側振動子２から下流側振動子３を介し受信する。
【００４１】
この動作を繰返手段１８で設定された回数だけ行う、いわゆるシングアラウンド系を構成する。送信手段１６より発射された超音波信号を受信手段１７が受信する迄の伝搬時間を累積し、その時間を伝搬時間計測手段１９で求める。
【００４２】
次に、切替手段１５は下流側振動子３に送信手段１６を接続し上流側振動子２に受信手段１７を接続する。
【００４３】
送信手段１６より超音波信号を出力し下流側振動子３を介し流路１を経て上流側振動子２に接続された受信手段１７で信号受信する。
【００４４】
前述同様に繰返手段１８で設定された回数だけ行う。送信手段１６より発射された超音波信号を受信手段１７が受信する迄の伝搬時間を伝搬時間計測手段１９で累積し求め、更に上流から下流へ超音波信号を発射した時の伝搬時間と、下流から上流へ発射した時の伝搬時間とから伝搬時間差を求める。
【００４５】
流速演算手段２１は伝搬時間計測手段１９で求めた伝搬時間を流速値Ｖに換算し、次に流量演算手段２１で流速値Ｖを流量値Ｑに換算する。図１でＡはガス媒体の流れる方向を示す。
【００４６】
通常、器具を使用している時は伝播時間差を生じ、流量は次のように求められる。流速Ｖ、流路断面積Ｓ、信号伝播距離Ｌ、信号伝播方向とガス流れ方向との角度θ、上流振動子２から下流振動子３への超音波信号伝播時間ｔ１、下流振動子３から上流振動子２への信号伝播時間ｔ２とすると流量値Ｑ（Ｌ／ｈ）は、下式となる。
【００４７】
Ｑ＝Ｖ×Ｓ＝（Ｌ／（２ＣＯＳθ））×（１／ｔ１−１／ｔ２）×Ｓ
上式で求められた流量値は、本来器具停止時伝搬時間差が零となり結果流量零となるはずが、或いは所定流量範囲内の流量（例えば±１．５Ｌ／ｈ未満）となるはずが、温度等の環境要因によりずれてくる。そして本来の流量零或いは所定流量範囲より逸脱する。
【００４８】
そこで、遮断手段２３を駆動し流路１を閉じた状態で流速検出手段１４により流速を求め上式で流量値に換算する。
【００４９】
この流量値を新流量補正値として流量補正手段２５に記憶する。以降この記憶した流量補正値を用いて流量演算手段２１で流量換算時に補正する。即ち、遮断手段２３を駆動し流路１を開けガス器具が通常通り使用される状態で、流速検出手段１４で流速を検出し流量演算手段２１で換算した流量値を流量補正手段２５に記憶した新流量補正値で補正（補正値の符号は±があり、加算補正又減算補正がある）する。
【００５０】
結果、器具停止時の流量値は流量零或いは所定流量範囲内（流量零範囲と定義する）に入り、器具使用時も正確に流量計測ができる。流量補正値は流量零時の零点補正値（零点オフセット値）として更新され、常に流量零となるように調整される。
【００５１】
ガス器具未使用時、ずれて検出された微少流量をあたかも器具が使用されていると間違ってガス使用量積算されたり、又ガスが漏れているとして間違って警告表示されることがなく極めて流量計測精度が向上し安全性、使い勝手が向上する。
【００５２】
このようにしてガス遮断装置設置以降タイマ手段２７で定期的に流量零状態に調節するように流量補正値を求め更新し設定できるので、ガス器具使用状態の監視において間違って異常な大流量と後判定し合計流量遮断としたり、又使用時間遮断の制限時間を決定する際のガス流量の計測を間違って行い異なる制限時間を設定されることなく正確に異常判定手段２４でガスの使用状態を監視できる。
【００５３】
（実施例２）
図２は本発明の実施例２のガス遮断装置である。図２において、図１、及び図３と同一機能を有する構成要素には同一番号を付し説明は省略する。
【００５４】
図２で、２７は流量補正一時記憶手段で、タイマ手段２４より所定時間経過すると器具停止時の流量値を求めるための信号が出力され、遮断手段２３を駆動し流路１を閉じ、流速検出手段１４により流速を検出し流量演算手段２１で換算した流量値を仮の流量補正値として一時記憶し、その後遮断手段２３を駆動し流路１を開け流速検出手段１４で流速を検出し流量演算手段２１で流量換算し更に換算した流量値を一時記憶した流量補正値で補正し流量零或いは所定流量範囲内に入ったのを確認したら流量補正手段２５に出力し新流量補正値として格納する。
【００５５】
次に上記構成の動作を説明する。ガス遮断装置設置時、ガス器具の使用がない時流速検出手段１４で検出した流速値より流量演算手段２１で換算した流量値は零或いは所定流量範囲内（例えば±１．５Ｌ／ｈ未満）である。
【００５６】
流量零となるように予め流量補正値を計測し流量零或いは所定流量範囲内となるように流量補正手段２５に記憶させ、流量演算手段２１で換算した流量値を流量補正値で補正している。
【００５７】
ここで、ガスの未使用時とは例えば流量演算手段２１でガス器具使用時その使用流量を登録するが、全く未登録の時器具の使用が無いと判定する。
【００５８】
しかし長期的に使用するに従って種々の環境条件、温度や湿度等の影響により器具未使用時の流量値が流量零あるいは所定流量範囲内とならずあたかも何らかのガス器具を使用しているかの流量値を示し、流量零状態或いは所定流量範囲（例えば±１．５Ｌ／ｈ未満）より逸脱する。従って予め求めていた流量補正値よりずれる場合がある。
【００５９】
そこでタイマ手段２４で時間カウントし下記のような方法で新流量補正値を求め所定流量範囲内と入る様に定期的に新流量補正値の更新を行う。
【００６０】
即ちタイマ手段２４で時間カウントし所定時間経過したら、流量補正手段２５、及び流量補正一時記憶手段２７に新流量補正値を計測する信号出力を行う。タイマ手段２４は温度等の環境条件による経時変化を考慮し適切な時間を設定する。
【００６１】
所定時間経過後、器具停止状態で流路１に設置した流量検出手段１４で流速検知し流量演算手段２１で流量値に換算し所定流量範囲内の流量値として検出されていたのに所定流量範囲より逸脱する流量値が検出され始めたり、或いは経時変化等により初期の流量零時の流量補正値からズレ幅より次第に大きくなっている場合がある。
【００６２】
そこで、遮断手段２３を駆動し流路１を遮断し閉じる。流量補正手段２５及び流量補正一時記憶手段２７はタイマ手段２４が時間カウントし所定時間経過すると新流量補正値計測状態に入る。
【００６３】
新流量補正値計測時、遮断手段２３で流路１を閉じ器具が使用されない、かつ完全に流量がない状態で流速検出手段１４により流速が検出され、流量演算手段２１で流量値に換算され新流量補正値が計測される。
【００６４】
ここで流速検出手段１４の一例の動作を説明する。
【００６５】
流路（ガス配管）１内で、斜向設置された上流側振動子２、および下流側振動子３との間で超音波信号を送受信する。
【００６６】
切替手段１５により上流側振動子２に送信手段１６が接続され、一方受信手段１７に下流側振動子３が接続され、送信手段１６から発信された信号を上流側振動子２から下流側振動子３を介し受信する。
【００６７】
この動作を繰返手段１８で設定された回数だけ行う。いわゆるシングアラウンド系を構成する。送信手段１６より発射された超音波信号を受信手段１７が受信する迄の伝搬時間を累積し、その時間を伝搬時間計測手段１９で求める。
【００６８】
次に、切替手段１５は下流側振動子３に送信手段１６を接続し上流側振動子２に受信手段１７を接続する。送信手段１６より超音波信号を出力し下流側振動子３を介し流路１を経て上流側振動子２に接続された受信手段１７で信号受信する。前述同様に繰返手段１８で設定された回数だけ行う。
【００６９】
送信手段１６より発射された超音波信号を受信手段１７が受信する迄の伝搬時間を伝搬時間計測手段１９で累積し求め、更に上流から下流へ超音波信号を発射した時の伝搬時間と、下流から上流へ発射した時の伝搬時間とから伝搬時間差を求める。
【００７０】
流速演算手段２１は伝搬時間計測手段１９で求めた伝搬時間を流速値Ｖに換算し、次に流量演算手段２１で流速値Ｖを流量値Ｑに換算する。図２でＡはガス媒体の流れる方向を示す。
【００７１】
通常、器具を使用している時は伝播時間差を生じ、流量は次のように求められる。流速Ｖ、流路断面積Ｓ、信号伝播距離Ｌ、信号伝播方向とガス流れ方向との角度θ、上流振動子２から下流振動子３への超音波信号伝播時間ｔ１、下流振動子３から上流振動子２への信号伝播時間ｔ２とすると流量値Ｑ（Ｌ／ｈ）は、下式となる。
【００７２】
Ｑ＝Ｖ×Ｓ＝（Ｌ／（２ＣＯＳθ））×（１／ｔ１−１／ｔ２）×Ｓ
上式で求められた流量値は、本来器具停止時伝搬時間差が零となり結果流量零となるはずが、或いは所定流量範囲内の流量（例えば±１．５Ｌ／ｈ未満）となるはずが、温度等の環境要因によりずれてくる。そして本来の流量零或いは所定流量範囲より逸脱する。
【００７３】
そこで、遮断手段２３を駆動し流路１を閉じた状態で流速検出手段１４により流速を求め上式で流量値に換算する。この流量値を仮の流量補正値として流量補正一時記憶手段２７に記憶する。
【００７４】
次に、遮断手段２３を駆動し流路１を開ける。そして流速検出手段１４により流速を検出し流量演算手段２１で流量値に換算し更に流量補正一時記憶手段２７に記憶した仮の流量補正値で補正し流量零或いは所定流量範囲内に入るか確認する。
【００７５】
即ち、新流量補正値を求めるために遮断手段２３を駆動し流路１を閉じた状態で流速及び流量を求めたが、誤ってこの最中にガス器具を使用された場合間違った流量値を計測し流量補正値として記憶されるのを防ぐためこのように一度仮の流量補正値として記憶し、再度流路１を開け流速検出手段１４で流速検出し流量値を求め仮の流量補正値で補正し正確に流量零状態になるのを確認する。
【００７６】
そして、結果流量零状態或いは所定流量範囲内（例えば±１．５Ｌ／ｈ未満）に入るのを確認した以降この記憶した流量補正値を用いて流量演算手段２１で流量換算時に補正する。即ち、通常通りガス器具を使用できる状態において、流速検出手段１４で流速を検出し流量演算手段２１で換算した流量値が所定流量範囲内に入るのを確認し流量補正一時記憶手段２７に記憶した流量補正値を新流量補正値として流量補正手段２５に記憶する（補正値の符号は±があり、加算補正又減算補正がある）し、以降この補正値を使用する。
【００７７】
結果、器具停止時の流量値は流量零或いは所定流量範囲内（流量零範囲と定義する）に入り、器具使用時も正確に流量計測ができる。流量補正値は流量零時の零点補正値（零点オフセット値）として更新され、常に流量零となるように調整される。
【００７８】
ガス器具未使用時、ずれて検出された微少流量をあたかも器具が使用されていると間違ってガス使用量積算されたり、又ガスが漏れているとして間違って警告表示されることがなく極めて流量計測精度が向上し安全性、使い勝手が向上する。
【００７９】
このようにしてガス遮断装置設置以降タイマ手段２７で定期的に流量零状態に調節するように流量補正値を求め更新し設定できるので、ガス器具使用状態の監視において間違って異常な大流量と誤判定し合計流量遮断としたり、又使用時間遮断の制限時間を決定する際のガス流量の計測を間違って行い異なる制限時間を設定されることなく正確に異常判定手段２４でガスの使用状態を監視できる。
【００８０】
【発明の効果】
以上の説明から明らかのように本発明によれば、正確にガスの使用状態を監視でき、安全性の向上、使い勝手が向上面などで優れた効果を奏するものである。
【図面の簡単な説明】
【図１】  本発明の実施例１のガス遮断装置の制御ブロック図
【図２】  本発明の実施例２のガス遮断装置の制御ブロック図
【図３】  従来のガス遮断装置の制御ブロック図
【符号の説明】
１４  流速検出手段
２１  流量演算手段
２２  異常判定手段
２３  遮断手段
２４  タイマ手段
２５  流量補正手段
２７  流量補正一時記憶手段
【図１】
0004534262.tif 000002
【図２】
0004534262.tif 000003
【図３】
0004534262.tif 000004